(57)【要約】      （修正有）【課題】低コストな固定片を電気的コネクターの金属ハウジングに係合することにより、ケースに電気的コネクターを固定することができる電気的コネクターを提供する。【解決手段】固定片３０と、金属ハウジング２０と、を含み、金属ハウジング２０は、金属本体２４と、少なくとも一つのフック形状を呈する干渉リブ２１２と、を含み、干渉リブ２１２が金属本体２４から伸びて固定片３０を挟んでなる。【選択図】図１
0003144088.tif 000002
【実用新案登録請求の範囲】
【請求項１】
固定片と、
金属本体と、少なくとも一つのフック形状を呈する干渉リブと、を含み、前記干渉リブが前記金属本体から伸びて前記固定片を挟んでいる金属ハウジングと、を含むことを特徴とする
電気的コネクター。
【請求項２】
前記電気的コネクターはソケットであることを特徴とする、請求項１に記載の電気的コネクター。
【請求項３】
前記固定片は、
固定本体と、
前記固定本体に形成され、これらの干渉リブとそれぞれ係合している複数の係合部と、
前記固定本体から伸び出している固定部と、を含むことを特徴とする、請求項１に記載の電気的コネクター。
【請求項４】
前記固定本体は前記金属本体に固定されており、前記固定部は、電気的コネクターに品物を固定するためのものであることを特徴とする、請求項３に記載の電気的コネクター。
【請求項５】
前記金属本体には差口が設けられており、プラグは組合せ方向に沿って前記差口に挿入して突合せることができることを特徴とする、請求項１に記載の電気的コネクター。
【請求項６】
前記金属本体は組合せ方向に沿って伸びており円筒形状を呈する構成であることを特徴とする、請求項１に記載の電気的コネクター。
【請求項７】
前記金属本体の側壁には溶接部が複数に伸びており、これらの溶接部により前記金属本体を基板に固定することができることを特徴とする、請求項１に記載の電気的コネクター。
【請求項８】
前記係合部は、貫通孔乃至溝であることを特徴とする、請求項１に記載の電気的コネクター。
【請求項９】
更に、絶縁本体を含み、前記絶縁本体の内部に複数の端子が設けられており、前記金属本体は、組合せ方向に沿って前記絶縁本体を覆っていることを特徴とする、請求項１に記載の電気的コネクター。
【請求項１０】
前記絶縁本体には、組合せ方向に沿って外側に伸びている突き板が設けられており、前記突き板には複数の端子溝が設けられており、これらの端子溝には端子がそれぞれ設けられていることを特徴とする、請求項９に記載の電気的コネクター。
【請求項１１】
前記絶縁本体にはストッパーが設けられており、前記金属本体には、前記ストッパーに合せる規制溝が設けられており、前記ストッパーを前記規制溝に当接することにより、前記金属ハウジングが前記絶縁本体に固定されることを特徴とする、請求項９に記載の電気的コネクター。
【請求項１２】
前記絶縁本体には係り溝が設けられており、前記金属本体には、前記係り溝に合せる係りブロックが設けられており、前記金属本体を組合せ方向に沿って前記絶縁本体に組合わせると、前記係りブロックが前記係り溝に当接しており、これにより、前記金属ハウジングが前記絶縁本体に固定されることを特徴とする、請求項９に記載の電気的コネクター。
【請求項１３】
前記固定片と前記金属ハウジングとは異なる材料で作製されたことを特徴とする、請求項１に記載の電気的コネクター。
【請求項１４】
前記固定片は、鉄製品乃至樹脂製品であることを特徴とする、請求項１３に記載の電気的コネクター。
【請求項１５】
前記金属ハウジングはステンレスで作製されたことを特徴とする、請求項１３に記載の電気的コネクター。
【考案の詳細な説明】
【技術分野】
【０００１】
本考案は、電気的コネクターに関し、特に、低コストな固定片を電気的コネクターの金属ハウジングに係合することにより、ケースに電気的コネクターを固定することができる電気的コネクターに関するものである。
【背景技術】
【０００２】
パソナルコンピュータ（以下、パソコンを称し）などの電子製品は、そのケースにはメス電気的コネクターが設けられており、これらにより、パソコンは信号を外部の機器に伝送することができ、従来のメス電気的コネクターは、その外面に金属ハウジングを覆っていることが一般であり、金属ハウジングにより、電磁波を遮断することができ、そしてメス電気的コネクターを印刷回路板に溶接することもできる。
【０００３】
しかしながら、メス電気的コネクターにプラグを挿し抜く場合には、メス電気的コネクターに外力が加えられ、これにより、メス電気的コネクターは緩めになり、又は離脱するようになる傾向があり、だから、金属ハウジングにラグを設けて、パソコンのケースに前記ラグを締付けることにより、パソコンのケースにメス電気的コネクターを安定に固定することができる。
【０００４】
だが、金属ハウジングはステンレスで作製されることが多く、ステンレスは高価な材料であるので、生産コストが増加する。一方、金属ハウジングにラグを設けると、金型の寸法が大きくなり、金型の作製費用は金型の寸法に正比例し、且つ金型を作製する過程中に、更に多くの廃棄物が発生され、だから、生産コストが増加し、そして材料が無駄にする。
【考案の開示】
【考案が解決しようとする課題】
【０００５】
本考案の主な目的は、低コストな固定片を電気的コネクターの金属ハウジングに係合することにより、ケースに電気的コネクターを固定することができる電気的コネクターを提供することにある。
【課題を解決するための手段】
【０００６】
本考案の請求項１に記載の電気的コネクターによると、固定片と、
金属本体と、少なくとも一つのフック形状を呈する干渉リブと、を含み、前記干渉リブが前記金属本体から伸びて前記固定片を挟んでいる金属ハウジングと、を含むことを特徴とする電気的コネクターである。
【０００７】
本考案の請求項２に記載の電気的コネクターによると、前記電気的コネクターはソケットである。
【０００８】
本考案の請求項３に記載の電気的コネクターによると、前記固定片は、
固定本体と、
前記固定本体に形成され、これらの干渉リブとそれぞれ係合している複数の係合部と、
前記固定本体から伸び出している固定部と、を含む。
【０００９】
本考案の請求項４に記載の電気的コネクターによると、前記固定本体は前記金属本体に固定されており、前記固定部は、電気的コネクターに品物を固定するためのものである。
【００１０】
本考案の請求項５に記載の電気的コネクターによると、前記金属本体には差口が設けられており、プラグは組合せ方向に沿って前記差口に挿入して突合せることができる。
【００１１】
本考案の請求項６に記載の電気的コネクターによると、前記金属本体は組合せ方向に沿って伸びており円筒形状を呈する構成である。
【００１２】
本考案の請求項７に記載の電気的コネクターによると、前記金属本体の側壁には溶接部が複数に伸びており、これらの溶接部により前記金属本体を基板に固定することができる。
【００１３】
本考案の請求項８に記載の電気的コネクターによると、前記係合部は、貫通孔であってもいいし、溝であってもよい。
【００１４】
本考案の請求項９に記載の電気的コネクターによると、更に、絶縁本体を含み、前記絶縁本体の内部に複数の端子が設けられており、前記金属本体は、組合せ方向に沿って前記絶縁本体を覆っている。
【００１５】
本考案の請求項１０に記載の電気的コネクターによると、前記絶縁本体には、組合せ方向に沿って外側に伸びている突き板が設けられており、前記突き板には複数の端子溝が設けられており、これらの端子溝には端子がそれぞれ設けられている。
【００１６】
本考案の請求項１1に記載の電気的コネクターによると、前記絶縁本体にはストッパーが設けられており、前記金属本体には、前記ストッパーに合せる規制溝が設けられており、前記ストッパーを前記規制溝に当接することにより、前記金属ハウジングが前記絶縁本体に固定される。
【００１７】
本考案の請求項１２に記載の電気的コネクターによると、前記絶縁本体には係り溝が設けられており、前記金属本体には、前記係り溝に合せる係りブロックが設けられており、前記金属本体を組合せ方向に沿って前記絶縁本体に組合わせると、前記係りブロックが前記係り溝に当接しており、これにより、前記金属ハウジングが前記絶縁本体に固定される。
【００１８】
本考案の請求項１３に記載の電気的コネクターによると、前記固定片と前記金属ハウジングとは異なる材料で作製された。
【００１９】
本考案の請求項１４に記載の電気的コネクターによると、前記固定片は、鉄製品であってもいいし、樹脂製品であってもよい。
【００２０】
本考案の請求項１５に記載の電気的コネクターによると、前記金属ハウジングはステンレスで作製された。
【考案の効果】
【００２１】
本考案の電気的コネクターによれば、従来の金属ハウジングから延設しているラグの代わりに、低コストな固定片を使用することにより、生産コストが低減し、そして材料を節約することができるという効果を有する。
【考案を実施するための最良の形態】
【００２２】
以下、本考案の実施の形態を図面に基づいて説明する。
【００２３】
まず、図１を参照する。図１は本考案の第一実施例に係る電気的コネクター１００の組合せ状態を示す斜視図であり、電気的コネクター１００は、ソケットであってもよく、絶縁本体１０と、金属ハウジング２０と、固定片３０と、を含み、絶縁本体１０の内部には信号や電源を伝送するための端子が複数に設けられている。金属ハウジング２０は、絶縁本体１０の外面を覆っており、プラグ（図示せず）を挿入可能な差口２３が設けられている。金属ハウジング２０は、金属本体２４と、少なくとも一つのフック形状を呈する干渉リブ２１２と、を含み、干渉リブ２１２は、金属本体２４から伸び出して固定片３０を挟んでいる。固定片３０は、金属ハウジング２０の金属本体２４の外部に固定されており、複数の係合部３１１を有し、これらの係合部３１１は、干渉リブ２１２とそれぞれ係合している。
【００２４】
次に、図２及び図３を参照する。図２は本考案の第一実施例に係る電気的コネクター１００の分解斜視図であり、図３は本考案の第一実施例に係る電気的コネクター１００の使用状態を示す概略図である。絶縁本体１０には、組合せ方向Ｘに沿って外側に伸びている突き板１１２が設けられており、突き板１１２には複数の端子溝１１３が設けられており、これらの端子溝１１３には端子４０がそれぞれ設けられている。絶縁本体１０は、上面１３と、側壁１４と、を有し、上面１３には係り溝１３１が設けられており、係り溝１３１は上面１３のエッジに設けられてもよく、絶縁本体１０の側壁１４にはストッパー１４１が設けられている。
【００２５】
金属ハウジング２０は、プレス加工によって金属板を成形したものであり、金属本体２４と、複数の溶接部２１１と、複数のフック形状を呈する干渉リブ２１２と、を有し、金属本体２４には、二つの側壁２１と、一つの固定面２２とが設けられており、金属本体２４は、組合せ方向Ｘに沿って伸びており円筒形状を呈する構成であり、組合せ方向Ｘに沿って絶縁本体１０の外面を覆っており、その側壁２１には延長方向Ｙに沿った溶接部２１１が複数に設けられており、図３に示すように、これらの溶接部２１１は溶接などの方法で基板５０に固定され、基板５０は印刷回路板であってもよい。
【００２６】
金属本体２４の側壁２１又は固定面２２には、延長方向Ｙに沿った干渉リブ２１２を複数に設けられてよく、干渉リブ２１２は金属本体２４と一体成形されてもよく、干渉リブ２１２は、フック形状を呈してもよく、固定面２２よりも高くてもよい。図２において、干渉リブ２１２がフック形状に湾折されていなく、図３において、干渉リブ２１２は、固定片３０を金属本体２４に設置した後に干渉リブ２１２をフック形状に湾折することにより、固定片３０が挟まれるようになる。金属本体２４の側壁２１には規制溝２１３を設けてもよく、金属本体２４が組合せ方向Ｘに沿って絶縁本体１０に組合わせられるときに、
規制溝２１３が絶縁本体２４のストッパー１４１に合せており、ストッパー１４１が規制溝２１３に当接することにより、絶縁本体１０に金属ハウジング２０を固定することができる。
【００２７】
金属本体２４の固定面２２には、アース端子２２１と、係りブロック２２２と、を設けてもよく、本考案に係る電気的コネクター１００にプラグ（図示せず）を差し込むと、アース端子２２１により全体がアースされ、アース端子２２１は金属本体２４と一体成形されてもよい。固定面２２のエッジには、絶縁本体１０の係り溝１３１に合せる係りブロック２２２が設けられており、金属本体２４を組合せ方向Ｘに沿って絶縁本体１０に組合わせると、係りブロック２２２が係り溝１３１に当接しており、これにより、絶縁本体１０に金属ハウジング２０を固定することができる。
【００２８】
固定片３０は、プレス加工によって金属板を成形したものであり、固定本体３１と、固定部３２と、カバー部３１４と、を有し、固定本体３１は、金属本体２４の固定面２２に固定されており、固定本体３１のエッジには係合部３１１が複数に設けられており、係合部３１１は、貫通孔であってもいいし、溝であってもよく、これらの係合部３１１はそれぞれ金属ハウジング２０の干渉リブ２１２と係合しており、これにより、これらの干渉リブ２１２とこれらの固定面２２の間に固定本体３１を固定することができ、そうすると、固定片３０と金属ハウジング２０が結合するようになる。固定本体３１には少なくとも一つの貫通孔（図示せず）が開設されており、前記貫通孔がアース端子２２１に合せており、これにより、アース端子２２１が前記貫通孔に通じて外部に露出するようになり、カバー部３１４は、固定本体３１の表面に設けられており、前記貫通孔をカバーしており、そうすると、電磁波遮断の効果を向上することができる。
【００２９】
固定部３２は、固定本体３１から延長方向Ｙに沿って伸び出しており、締付け穴３２１を有し、図３に示すように、締付け子７０を固定部３２に開設された締付け穴３２１に挿通して品物６０に固定すると、電気的コネクター１００が品物６０に固定されるようになり、締付け子７０はネジであってもよく、品物６０はケースであってもよい。
【００３０】
もちろん、これらの干渉リブ２１２及びこれらの係合部３１１は、上記の構成に限定されなく、すなわち、固定片３０と金属ハウジング２０を互いに係合可能であれば、何れかの構成にしてもよい。
【００３１】
本実施例では、固定片３０と金属ハウジング２０は異なる材料で作製されたものであり、固定片３０は、鉄製品であってもいいし、樹脂製品であってもよく、金属ハウジング２０はより高価なステンレスで作製され、固定片３０はより安い材料を使用可能であるので、生産コストを低減することができる。
【００３２】
次に、図４及び図４Ａ〜図４Ｄを参照する。図４及び図４Ａ〜図４Ｄは、本考案の第二実施例の組合せ状態を示す斜視図であり、第一実施例によく似ている。金属ハウジング２０ａの干渉リブ２１２ａが固定片３０ａに挟まれており、絶縁本体１０ａと金属ハウジング２０ａと固定片３０ａとは、製品によって異なる構成に設計されるが、全てが本考案に係る係合方式によって係合する。
【００３３】
次に、図２及び図５を参照する。図５は本考案の第三実施例の組合せ状態を示す斜視図である。本実施例は、第一実施例と同じように、金属ハウジング２０ｂ及び干渉リブ２１２ｂが固定片３０ｂに挟まれており、第一実施例と異なる点は、絶縁本体１０ｂの後面に基板が連接されており、金属ハウジング２０ｂの溶接部２１１ｂは組合せ方向Ｘに沿って伸びており、固定片３０ｂの固定本体３１ｂには組合せ方向Ｘに沿った位置決め部３１２が伸びており、位置決め部３１２により基板が固定され、固定片３０ｂの固定部３２ｂの固定本体３１ｂから伸びる方向は、第一実施例に係る固定部３２の伸びる方向と異なる。固定部３２ｂは、二つあり、金属ハウジング２０ｂ及び固定本体３１ｂの両側辺にそれぞれ設けられており、係合部３１１ａの構成は貫通孔であり、係合部３１１ｂの構成は溝である。
【００３４】
次に、図６及び図６Ａ〜図６Ｄを参照する。図６及び図６Ａ〜図６Ｄは、本考案の第四実施例の組合せ状態を示す斜視図であり、第三実施例によく似ている。金属ハウジング２０ｃの干渉リブ２１２ｃが固定片３０ｃに挟まれており、絶縁本体１０ｃと金属ハウジング２０ｃと固定片３０ｃとは、製品によって異なる構成に設計されるが、全てが本考案に係る係合方式によって係合する。
上記では、種々の実施の形態および変形例を説明したが、本考案はこれらの内容に限定されるものではない。本考案の技術的思想の範囲内で考えられるその他の態様も本考案の範囲内に含まれる。
【図面の簡単な説明】
【００３５】
【図１】本考案に係る電気的コネクターの第一実施例の組合せ状態を示す斜視図である。
【図２】本考案に係る電気的コネクターの第一実施例の分解斜視図である。
【図３】本考案に係る電気的コネクターの第一実施例の使用状態を示す概略図である。
【図４】本考案に係る電気的コネクターの第二実施例の組合せ状態を示す斜視図である。
【図４Ａ】本考案に係る電気的コネクターの第二実施例の組合せ状態を示す斜視図である。
【図４Ｂ】本考案に係る電気的コネクターの第二実施例の組合せ状態を示す斜視図である。
【図４Ｃ】本考案に係る電気的コネクターの第二実施例の組合せ状態を示す斜視図である。
【図４Ｄ】本考案に係る電気的コネクターの第二実施例の組合せ状態を示す斜視図である。
【図５】本考案に係る電気的コネクターの第三実施例の組合せ状態を示す斜視図である。
【図６】本考案に係る電気的コネクターの第四実施例の組合せ状態を示す斜視図である。
【図６Ａ】本考案に係る電気的コネクターの第四実施例の組合せ状態を示す斜視図である。
【図６Ｂ】本考案に係る電気的コネクターの第四実施例の組合せ状態を示す斜視図である。
【図６Ｃ】本考案に係る電気的コネクターの第四実施例の組合せ状態を示す斜視図である。
【図６Ｄ】本考案に係る電気的コネクターの第四実施例の組合せ状態を示す斜視図である。
【符号の説明】
【００３６】
１００，２００：電気的コネクター
１０，１０ａ，１０ｂ，１０ｃ：絶縁本体
１３：上面
１４：側壁、２０，２０ａ，２０ｂ，２０ｃ：金属ハウジング
２１：側壁
２２：固定面
２３，２３ｂ：差口
２４：金属本体
３０，３０ａ，３０ｂ，３０ｃ：固定片
３１，３１ｂ：固定本体
３２，３２ｂ：固定部
４０：端子
５０：基板
６０：品物
７０：締付け子
１１２：突き板
１１３：端子溝
１３１：係り溝
１４１：ストッパー
２１１，２１１ｂ：溶接部
２１２，２１２ａ，２１２ｂ，２１２ｃ：干渉リブ
２１３：規制溝
２２１：アース端子
２２２：係りブロック
３１１，３１１ａ，３１１ｂ：係合部
３１２：位置決め部
３１４：カバー部
３２１：締付け穴
Ｘ：組合せ方向
Ｙ：延長方向
【図１】
0003144088.tif 000003
【図２】
0003144088.tif 000004
【図３】
0003144088.tif 000005
【図４】
0003144088.tif 000006
【図４Ａ】
0003144088.tif 000007
【図４Ｂ】
0003144088.tif 000008
【図４Ｃ】
0003144088.tif 000009
【図４Ｄ】
0003144088.tif 000010
【図５】
0003144088.tif 000011
【図６】
0003144088.tif 000012
【図６Ａ】
0003144088.tif 000013
【図６Ｂ】
0003144088.tif 000014
【図６Ｃ】
0003144088.tif 000015
【図６Ｄ】
0003144088.tif 000016